(57)【特許請求の範囲】
【請求項１】
表示部と、該表示部の照明手段と、無線部と、筐体表面もしくは筐体表面近傍に設けられ、物体の接触に対する感知機能を有するタッチセンサーと、制御部と、キー操作部と、を備え、
前記制御部は前記無線部の受信信号から呼び出し信号を検出する着信検出時及び／または前記キー操作部によるキー入力操作を検出する操作入力検出時に、前記タッチセンサーを駆動し、前記検出時の間、前記タッチセンサーの検出出力の有無に基づいて前記照明手段の点灯・消灯制御を行うことを特徴とする携帯電話機。
【発明の詳細な説明】
【０００１】
【発明が属する技術分野】
本発明は携帯電話機の表示部照明制御技術、いわゆるバックライト制御技術に関するものである。
【０００２】
【従来の技術】
従来から液晶バックライト装置はよく知られている。携帯電話機は、キー操作部で入力する電話番号表示や着信時の発番号表示等を行うためにバックライト装置を備えた液晶表示部が備わっている。
【０００３】
携帯電話機では省電力化のため、常時バックライトを点灯させることはできないので、キー操作入力があったときや着信があったとき、一定時間点灯させるようになっている。
【０００４】
また、一歩進んだ携帯電話機は、暗所での使用時のみバックライトを点灯させるため、表示部近傍に受光窓を設け内部に受光センサを備えて受光量に応じてバックライトの点灯制御を行う。すなわち予め所定の光量に対応するセンサー出力に等しい基準電圧値をメモリに記憶させておき、キー操作入力や着信があったとき基準電圧値とセンサー出力を比較し周囲が暗い場合にバックライトを一定時間点灯させるように制御する。さらに一歩進んだ携帯電話機は、基準電圧値を複数記憶し周囲の明るさに応じてバックライトの明るさを複数段階に分けて調整するようになっている。
【０００５】
【発明が解決しようとする課題】
しかしながら、従来技術では予めメーカー側にてバックライトを点灯させるべき周囲の明るさを設定しているものの、実使用においては必ずしも見え易い状況ばかりではない。例えば、受光センサーと光源との相性の問題があり、自然光に対しては受光量を正確に検出できる一方で、夜間に街灯の下で使用する場合には街灯の一部の光源に対しては光を受光センサーが感知できないもしくは感知し難いといった場合がある。また、自然光のもとでの使用であっても携帯電話機に光がスポット的にあたったり、反対に影がスポット的にさすような使用状況では適切にバックライト点灯制御がされるとは限らない。
【０００６】
本発明は、上記従来技術を解決するために、使用者自身が使用状況に応じてバックライトの点灯・非点灯を簡単確実に瞬時に操作できる携帯電話機を提供するものである。
【０００７】
【課題を解決するための手段】
上記従来技術の課題を解決するために本発明は、携帯電話機の筐体表面もしくは表面近傍にタッチセンサー等のように物体の接触もしくは近接を感知可能なセンサを設け、使用者が使用状況に応じて指をセンサに触れるもしくは近傍に添える、さらにセンサから指を離すことにより瞬時にバックライトの点灯・消灯制御を可能にするものである。
【０００８】
そのために、請求項１に記載する本発明の携帯電話機は、表示部と、該表示部の照明手段と、無線部と、筐体表面もしくは筐体表面近傍に設けられ、物体の接触に対する感知機能を有するタッチセンサーと、制御部と、キー操作部と、を備え、前記制御部は前記無線部の受信信号から呼び出し信号を検出する着信検出時及び／または前記キー操作部によるキー入力操作を検出する操作入力検出時に、前記タッチセンサーを駆動し、前記検出時の間、前記タッチセンサーの検出出力の有無に基づいて前記照明手段の点灯・消灯制御を行うようにした。
【００１０】
【発明の実施の形態】
本発明の一実施形態を示す、携帯電話機正面図である図１と、そのブロック図である図２と、バックライト制御フローチャートである図３を用いて説明する。各図にて同一部位には同一符号を付してある。
【００１１】
図１に示された各部の符号、１は電話機筐体、２は筐体１の側面に設けられたバックライトＯＮ／ＯＦＦスイッチとして用いるセンサー、３はバックライト装置を備えた液晶表示部（ＬＣＤ）、４はキー操作部、５は受話部、６は送話部、７はアンテナである。着信中やキー操作中にユーザーがセンサー２に指を触れると、ＬＣＤ３のバックライトが点灯し、指を離すとバックライトが消灯する。センサー２としては、汗や温度変化による電気抵抗値の変化に基づいて電流値を検出するようなタッチセンサーや、赤外線や超音波を出力しその反射により物体との距離あるいは物体の接近を検出する測距センサーや近接センサーなど各種の方式のものを用いることができるが、使用者の意思とは無関係にバックライトを点灯させてしまう状況が想定されるので周囲の光量を検出するタイプの受光センサーを用いることはできない。
【００１２】
携帯電話機のブロック図である図２において、３ＡはＬＣＤドライバ、３Ｂは発光ダイオード（ＬＥＤ）を用いたバックライト、３ＣはバックライトのＬＥＤを駆動するＬＥＤドライバである。また、８は無線部、９は制御部、１０はオーディオ信号処理部、１１は記憶部、１２はリンガである。
【００１３】
制御部９は無線部８の受信信号から呼び出し信号を検出すると、またはキー操作部４によるキー入力操作を検出すると、センサー２を駆動する。そしてこの間、指の接触（あるいは近接）によりセンサー２から検出出力があった場合、駆動指令制御信号をＬＥＤドライバ３Ｃに出力しバックライト３Ｂを点灯させる。したがって、着信でリンガー１２が鳴っている着信中およびダイヤル発信操作等でキー入力操作をしている操作中に、使用者がセンサー２に指を触れる（あるいは近づける）とバックライト３Ｂが点灯する。
【００１４】
また、バックライトのオンオフをキー操作の有無や指の接触状態で過敏に切り替えないよう、着信信号及びキー操作のどちらも検出できなくなってから約ｔ１秒（例えば約１０秒）、さらにセンサ−２の検出出力がなくなってから約ｔ２秒（例えば１秒）はバックライト３Ｂの点灯を継続させるようにも制御する。これらの制御動作は図３のフローチャートにてステップ１０１〜１１０として示している。
【００１５】
以上のように、専用センサーを用いて指を接触もしくは近接させるだけでよいのでバックライトを使用者の意思に基づいて容易にかつ迅速に点灯制御することが可能である。押しボタン式やスライド式のスイッチでは誤操作の恐れがあるが、本発明では誤操作の恐れがなく、しかも使用者の指の動きにレスポンスよく反応させることが可能である。
【００１６】
【発明の効果】
請求項１に記載する本発明は、表示部と、該表示部の照明手段と、無線部と、筐体表面もしくは筐体表面近傍に設けられ、物体の接触に対する感知機能を有するタッチセンサーと、制御部と、キー操作部と、を備え、前記制御部は前記無線部の受信信号から呼び出し信号を検出する着信検出時及び／または前記キー操作部によるキー入力操作を検出する操作入力検出時に、前記タッチセンサーを駆動し、前記検出時の間、前記タッチセンサーの検出出力の有無に基づいて前記照明手段の点灯・消灯制御を行う携帯電話であるので、待受け時に指が誤接触したような場合の点灯防止ができるので省電力化を達成する上で効果が高い。
【図面の簡単な説明】
【図１】本発明の一実施形態を示す携帯電話機正面図。
【図２】本発明の一実施形態を示す携帯電話機ブロック図。
【図３】本発明の一実施形態を示すバックライト制御フローチャート。
【符号の説明】
１：電話機筐体
２：センサー
３：液晶表示部（ＬＣＤ）
３Ａ：ＬＣＤドライバ
３Ｂ：発光ダイオード（ＬＥＤ）を用いたバックライト
３Ｃ：バックライトのＬＥＤを駆動するＬＥＤドライバ
４：キー操作部
５：受話部
６：送話部
７：アンテナ
８：無線部
９：制御部
１０：オーディオ信号処理部
１１：記憶部
１２：リンガ
【図１】
0004325895.tif 000002
【図２】
0004325895.tif 000003
【図３】
0004325895.tif 000004